【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
液体を含浸させた表面を含む物品であって、前記表面が、固体フィーチャーのマトリックスを含み、前記固体フィーチャーのマトリックスが、前記物品の配向に関わらず、その間および／またはその範囲内に液体を安定的に含有するのに十分に接近して間隔をあけられており、前記固体フィーチャーおよび前記含浸液体が無毒性であり、かつ／または食用であり、前記物品は、前記固体フィーチャーのマトリックスの間および／またはその範囲内に前記含浸液体を含み、
前記物品は、消費者製品を含む容器であり、ここで、前記消費者製品の前記容器は、前記消費者製品を充填した場合、貯蔵安定性があり、または
前記物品は、消費者製品と接触する消費者加工装置の構成部分であり、ここで、前記液体は、通常の取扱い条件下で、前記フィーチャーの間および／またはその範囲内に安定的に含有される、物品。
【請求項２】
前記固体フィーチャーが、粒子を含むか、または前記固体フィーチャーが、粒子を含み、前記粒子が、５ミクロン〜５０ミクロンの範囲にある平均寸法を有する、請求項１に記載の物品。
【請求項３】
前記粒子が、不溶性繊維、精製木材セルロース、微結晶質セルロース、オートブラン繊維、カオリナイト（粘土鉱物）、木蝋（ベリーから得られる）、パルプ（植物の茎のスポンジ状部分）、酸化第二鉄、酸化鉄、ギ酸ナトリウム、オレイン酸ナトリウム、パルミチン酸ナトリウム、硫酸ナトリウム、ワックス、カルナウバワックス、みつ蝋、カンデリラワックス、ゼイン（トウモロコシ由来）、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）およびエチルヒドロキシエチルセルロースからなる群から選択される１種または複数のメンバーを含む、請求項２に記載の物品。
【請求項４】
前記粒子が、無作為に間隔をあけられており、そして／または前記粒子が、隣接する粒子または粒子のクラスター間に約１０ミクロン〜約３０ミクロンの平均間隔で配置され、そして／または前記粒子が、噴霧堆積される、請求項２に記載の物品。
【請求項５】
前記消費者製品が、ケチャップ（ｋｅｔｃｈｕｐ）、ケチャップ（ｃａｔｓｕｐ）、マスタード、マヨネーズ、シロップ、ハチミツ、ゼリー、ピーナツバター、バター、チョコレートシロップ、ショートニング、バター、マーガリン、オレオ、グリース、ディップ、ヨーグルト、サワークリーム、化粧品、シャンプー、ローション、毛髪ゲルおよび練り歯磨きからなる群から選択される少なくとも１種のメンバーを含む、請求項１に記載の物品。
【請求項６】
前記消費者製品が、室温で少なくとも１００ｃＰの粘度を有するか、または前記消費者製品が、非ニュートン流体である、請求項１に記載の物品。
【請求項７】
前記液体が、食品添加物（例えばオレイン酸エチル）、脂肪酸、タンパク質および植物油（例えば、オリーブオイル、ライトオリーブオイル、トウモロコシ油、ダイズ油、ナタネ油、アマニ油（ｌｉｎｓｅｅｄ  ｏｉｌ）、グレープシード油、アマニ油（ｆｌａｘｓｅｅｄ  ｏｉｌ）、カノーラ油、ラッカセイ油、ベニバナ油、ヒマワリ油）からなる群から選択される少なくとも１種のメンバーを含むか、または前記液体を含浸させた表面が、約５０パーセント未満の固体対液体の割合を有する、請求項１に記載の物品。
【請求項８】
前記消費者製品が食品である、請求項１に記載の物品。
【請求項９】
消費者製品の容器の製造方法であって、前記方法は、
基材を準備するステップと；
前記基材にテクスチャを施すステップであって、前記テクスチャが、固体フィーチャーのマトリックスを含み、前記固体フィーチャーのマトリックスが、その間および／またはその範囲内に液体を安定的に含有するのに十分に接近して間隔をあけられている、ステップと；
前記固体フィーチャーのマトリックスに前記液体を含浸させるステップであって、前記固体フィーチャーおよび前記液体が無毒性であり、かつ／または食用である、ステップと
を含み、
前記消費者製品が非ニュートン流体である、方法。
【請求項１０】
前記固体フィーチャーが、粒子であり、そして／または、前記液体が、食品添加物（例えばオレイン酸エチル）、脂肪酸、タンパク質および植物油（例えば、オリーブオイル、ライトオリーブオイル、トウモロコシ油、ダイズ油、ナタネ油、アマニ油（ｌｉｎｓｅｅｄ  ｏｉｌ）、グレープシード油、アマニ油（ｆｌａｘｓｅｅｄ  ｏｉｌ）、カノーラ油、ラッカセイ油、ベニバナ油、ヒマワリ油）からなる群から選択される少なくとも１種のメンバーを含む、請求項９に記載の方法。
【請求項１１】
前記施すステップが、固体および溶媒の混合物を前記テクスチャのある基材上に噴霧するステップを含み、必要に応じて、前記混合物を前記テクスチャのある基材上に噴霧するステップに続いて、かつ前記含浸させるステップの前に、前記溶媒を蒸発させるステップを含む、請求項９に記載の方法。
【請求項１２】
前記固体が、不溶性繊維、精製木材セルロース、微結晶質セルロース、オートブラン繊維、カオリナイト（粘土鉱物）、木蝋（ベリーから得られる）、パルプ（植物の茎のスポンジ状部分）、酸化第二鉄、酸化鉄、ギ酸ナトリウム、オレイン酸ナトリウム、パルミチン酸ナトリウム、硫酸ナトリウム、ワックス、カルナウバワックス、みつ蝋、カンデリラワックス、ゼイン（トウモロコシ由来）、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）およびエチルヒドロキシエチルセルロースからなる群から選択される１種または複数のメンバーを含む、請求項１１に記載の方法。
【請求項１３】
前記含浸させたフィーチャーのマトリックスを、消費者製品と接触させるステップをさらに含む、請求項９に記載の方法。
【請求項１４】
前記消費者製品が、ケチャップ（ｋｅｔｃｈｕｐ）、ケチャップ（ｃａｔｓｕｐ）、マスタード、マヨネーズ、シロップ、ハチミツ、ゼリー、ピーナツバター、バター、チョコレートシロップ、ショートニング、バター、マーガリン、オレオ、グリース、ディップ、ヨーグルト、サワークリーム、化粧品、シャンプー、ローション、毛髪ゲルおよび練り歯磨きからなる群から選択される少なくとも１種のメンバーを含む、請求項１３に記載の方法。
【請求項１５】
前記基材に前記テクスチャを施すステップが：前記基材を溶媒に曝露する（例えば、溶媒誘起結晶化）ステップ；材料の混合物を押出成形またはブロー成形するステップ；機械的作用により前記基材を粗面化する（例えば、研磨剤によるタンブリング）ステップ；噴霧コーティングステップ；ポリマースピン塗りステップ；溶液から粒子を析出させる（例えば、１層ずつ析出させる、かつ／または液体および粒子懸濁物から液体を蒸発除去する）ステップ；フォームまたはフォーム形成材料（例えばポリウレタンフォーム）を押出成形またはブロー成形するステップ；溶液からポリマーを析出させるステップ；冷却すると膨張して、しわまたはテクスチャのある表面を残す材料を押出成形またはブロー成形するステップ；引張りまたは圧縮下にある表面上に材料の層を施すステップ；ポリマーの非溶媒誘起相分離を行って、多孔質構造を得るステップ；微小接触プリンティングを行うステップ；レーザーラスタリングを行うステップ；蒸気から固体テクスチャの核生成を行う（例えば、凝結）ステップ；陽極酸化を行うステップ；フライス加工ステップ；機械加工ステップ；きざみ付けステップ；電子ビーム加工ステップ；熱または化学酸化を行うステップ；および化学蒸着を行うステップからなる群から選択される手順を含む、請求項９に記載の方法。
【請求項１６】
前記基材に前記テクスチャを施すステップが、前記基材上に食用粒子の混合物を噴霧するステップを含む、請求項９に記載の方法。
【請求項１７】
前記基材に前記テクスチャを施す前に、前記基材を化学修飾するステップ、および／または前記テクスチャの前記固体フィーチャーを化学修飾するステップをさらに含み、または前記フィーチャーのマトリックスを含浸させるステップが、前記フィーチャーのマトリックスから、過剰の液体を除去するステップを含み、前記過剰の液体を除去するステップが：第２の不混和性液体を使用して前記過剰の液体を運び去るステップ；機械的作用を用いて前記過剰の液体を除去するステップ；多孔質材料を使用して前記過剰の液体を吸収するステップ；および重力または遠心力を使用して前記フィーチャーのマトリックスの前記過剰の液体を排出するステップからなる群から選択される手順を必要に応じて含む、請求項９に記載の方法。
【請求項１８】
非ニュートン流体を含む容器であって、前記容器は、
内表面であって、前記内表面は前記内表面上に配置された複数の固体フィーチャーを含み、前記固体フィーチャーは、２００ミクロンまでの範囲の平均寸法を有し、前記複数の固体フィーチャーは、それらの間に複数の領域を規定する、内表面；および
前記複数の領域内に配置された液体であって、前記複数の固体フィーチャーは、前記物品の配向に関わらず前記複数の領域内に前記液体を含有するように構成されている、液体
を含み、
前記容器は、前記非ニュートン流体を含み、前記容器の前記内表面は、前記非ニュートン流体と接触しており、前記非ニュートン流体は、前記容器の前記内表面が、その流路に沿って前記非ニュートン流体が残す残留物を実質的に含まないように、その内容物を空にする間、前記容器の前記内表面に沿って流れる、容器。
【請求項１９】
前記平均寸法が、１ミクロンから５０ミクロンの範囲にある、請求項１８に記載の容器。
【請求項２０】
装置であって、前記装置は、
内表面を有し、かつ非ニュートン流体を含む内部領域を規定する容器；
前記内表面上に配置された複数の固体フィーチャーであって、前記複数の固体フィーチャーは、それらの間に複数の領域を規定する、複数の固体フィーチャー；および
前記複数の領域に配置された液体であって、前記複数の固体フィーチャーの各々は、前記液体が、前記複数の領域に含有されるように寸法付けおよび構成される、液体
を含み、
前記複数の固体フィーチャーおよび液体は合わせて液体を含浸させた表面を規定し、
前記容器の前記内表面は、前記非ニュートン流体と接触しており、前記非ニュートン流体は、前記容器の前記内表面が、その流路に沿って前記非ニュートン流体が残す残留物を実質的に含まないように、その内容物を空にする間、前記容器の前記内表面に沿って流れる、装置。
【請求項２１】
前記複数の固体フィーチャーは、粒子を含む、請求項１８〜２０のいずれか一項に記載の容器。
【請求項２２】
隣接する粒子または粒子のクラスターの間の平均間隔が２００ミクロンまでの範囲である、請求項２１に記載の容器。
【請求項２３】
前記複数の固体フィーチャーの露出された表面積の、前記複数の領域に含有された前記液体の露出された表面積に対する比が、０．５未満である、請求項１８〜２２のいずれか一項に記載の容器。
【請求項２４】
前記比が、０．０２〜０．３の範囲にある、請求項２３に記載の容器。
【請求項２５】
前記比が、０より大きく、０．２未満である、請求項２３に記載の容器。
【請求項２６】
前記非ニュートン流体が、ビンガム塑性体である、請求項１８〜２５のいずれか一項に記載の容器。
【請求項２７】
前記ビンガム塑性体が、ケチャップ（ｃａｔｓｕｐ）、ケチャップ（ｋｅｔｃｈｕｐ）、トマトペースト、マスタード、マヨネーズ、フムス、タヒニ、ゼリー、ピーナツバター、バター、チョコレート、チョコレートシロップ、ショートニング、マーガリン、グリース、ディップ、ヨーグルト、サワークリーム、化粧品、ローション、および練り歯磨きからなるリストから選択される少なくとも１種の物質を含む、請求項２６に記載の容器。
【請求項２８】
前記表面が主に重力による前記容器の前記表面に沿った前記非ニュートン流体の流れを可能にする、請求項１８〜２７のいずれか一項に記載の容器。
【請求項２９】
前記複数の固体フィーチャーおよび液体は無毒性である、請求項１８〜２８のいずれか一項に記載の容器。
【請求項３０】
前記液体は、食品添加物、脂肪酸、タンパク質および植物油のうちの少なくとも一種を含む、請求項１８〜２９のいずれか一項に記載の容器。
【請求項３１】
前記液体は、オリーブオイル、ライトオリーブオイル、トウモロコシ油、ダイズ油、ナタネ油、アマニ油（ｌｉｎｓｅｅｄ  ｏｉｌ）、グレープシード油、アマニ油（ｆｌａｘｓｅｅｄ  ｏｉｌ）、カノーラ油、ラッカセイ油、ベニバナ油、およびヒマワリ油のうちの少なくとも一種を含む、請求項３０に記載の容器。
【請求項３２】
前記複数の固体フィーチャーは、不溶性繊維、精製木材セルロース、微結晶質セルロース、オートブラン繊維、カオリナイト、木蝋、パルプ、酸化第二鉄、酸化鉄、ギ酸ナトリウム、オレイン酸ナトリウム、パルミチン酸ナトリウム、硫酸ナトリウム、ワックス、カルナウバワックス、みつ蝋、カンデリラワックス、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）およびエチルヒドロキシエチルセルロースからなるリストから選択される１種または複数のメンバーから本質的になる、請求項１８〜３１のいずれか一項に記載の容器。
【手続補正２】
【補正対象書類名】明細書
【補正対象項目名】００１３
【補正方法】変更
【補正の内容】
【００１３】
本発明の目的および特徴は、以下に記述される図面、および特許請求の範囲を参照してよりよく理解され得るものである。
本発明の実施形態において、例えば以下の項目が提供される。
（項目１）
液体含浸表面を含む物品であって、前記表面が、固体フィーチャーのマトリックスを含み、前記固体フィーチャーのマトリックスが、その間および／またはその範囲内に液体を安定的に含有するのに十分に接近して間隔をあけられており、前記フィーチャーおよび液体が無毒性であり、かつ／または食用である、物品。
（項目２）
消費者製品の容器である、項目１に記載の物品。
（項目３）
前記固体フィーチャーが、粒子を含む、項目１に記載の物品。
（項目４）
前記粒子が、５ミクロン〜５０ミクロンの範囲にある平均寸法を有する、項目３に記載の物品。
（項目５）
前記粒子が、不溶性繊維、精製木材セルロース、微結晶質セルロース、オートブラン繊維、カオリナイト（粘土鉱物）、木蝋（ベリーから得られる）、パルプ（植物の茎のスポンジ状部分）、酸化第二鉄、酸化鉄、ギ酸ナトリウム、オレイン酸ナトリウム、パルミチン酸ナトリウム、硫酸ナトリウム、ワックス、カルナウバワックス、みつ蝋、カンデリラワックス、ゼイン（トウモロコシ由来）、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）およびエチルヒドロキシエチルセルロースからなる群から選択される１種または複数のメンバーを含む、項目３に記載の物品。
（項目６）
前記粒子が、ワックスを含む、項目５に記載の物品。
（項目７）
前記粒子が、無作為に間隔をあけられている、項目３に記載の物品。
（項目８）
前記粒子が、隣接する粒子または粒子のクラスター間に約１０ミクロン〜約３０ミクロンの平均間隔で配置される、項目７に記載の物品。
（項目９）
前記粒子が、噴霧堆積される、項目３に記載の物品。
（項目１０）
前記消費者製品が、ケチャップ（ｋｅｔｃｈｕｐ）、ケチャップ（ｃａｔｓｕｐ）、マスタード、マヨネーズ、シロップ、ハチミツ、ゼリー、ピーナツバター、バター、チョコレートシロップ、ショートニング、バター、マーガリン、オレオ、グリース、ディップ、ヨーグルト、サワークリーム、化粧品、シャンプー、ローション、毛髪ゲルおよび練り歯磨きからなる群から選択される少なくとも１種のメンバーを含む、項目２に記載の物品。
（項目１１）
前記消費者製品の前記容器が、前記消費者製品を充填した場合、貯蔵安定性がある、項目２に記載の物品。
（項目１２）
前記消費者製品が、室温で少なくとも１００ｃＰの粘度を有する、項目２に記載の物品。
（項目１３）
前記消費者製品が、非ニュートン材料である、項目２に記載の物品。
（項目１４）
前記液体が、食品添加物（例えばオレイン酸エチル）、脂肪酸、タンパク質および植物油（例えば、オリーブオイル、ライトオリーブオイル、トウモロコシ油、ダイズ油、ナタネ油、アマニ油（ｌｉｎｓｅｅｄ  ｏｉｌ）、グレープシード油、アマニ油（ｆｌａｘｓｅｅｄ  ｏｉｌ）、カノーラ油、ラッカセイ油、ベニバナ油、ヒマワリ油）からなる群から選択される少なくとも１種のメンバーを含む、項目１に記載の物品。
（項目１５）
消費者製品処理装置の構成部分である、項目１に記載の物品。
（項目１６）
食品と接触する食品加工装置の構成部分である、項目１に記載の物品。
（項目１７）
前記液体含浸表面が、約５０パーセント未満の固体対液体の割合を有する、項目１に記載の物品。
（項目１８）
消費者製品の容器の製造方法であって、
基材を準備するステップと；
前記基材にテクスチャを施すステップであって、前記テクスチャが、固体フィーチャーのマトリックスを含み、前記固体フィーチャーのマトリックスが、その間および／またはその範囲内に液体を安定的に含有するのに十分に接近して間隔をあけられている、ステップと；
前記固体フィーチャーのマトリックスに前記液体を含浸させるステップであって、前記固体フィーチャーおよび前記液体が無毒性であり、かつ／または食用である、ステップとを含む方法。
（項目１９）
前記固体フィーチャーが、粒子である、項目１８に記載の方法。
（項目２０）
前記施すステップが、固体および溶媒の混合物を前記テクスチャのある基材上に噴霧するステップを含む、項目１９に記載の方法。
（項目２１）
前記固体が、不溶性繊維、精製木材セルロース、微結晶質セルロース、オートブラン繊維、カオリナイト（粘土鉱物）、木蝋（ベリーから得られる）、パルプ（植物の茎のスポンジ状部分）、酸化第二鉄、酸化鉄、ギ酸ナトリウム、オレイン酸ナトリウム、パルミチン酸ナトリウム、硫酸ナトリウム、ワックス、カルナウバワックス、みつ蝋、カンデリラワックス、ゼイン（トウモロコシ由来）、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）およびエチルヒドロキシエチルセルロースからなる群から選択される１種または複数のメンバーを含む、項目２０に記載の方法。
（項目２２）
前記混合物を、前記テクスチャのある基材上に噴霧するステップに続いて、かつ前記含浸させるステップの前に、前記溶媒を蒸発させるステップを含む、項目２０に記載の方法。
（項目２３）
前記含浸したフィーチャーのマトリックスを、消費者製品と接触させるステップをさらに含む、項目１８に記載の方法。
（項目２４）
前記消費者製品が、ケチャップ（ｋｅｔｃｈｕｐ）、ケチャップ（ｃａｔｓｕｐ）、マスタード、マヨネーズ、シロップ、ハチミツ、ゼリー、ピーナツバター、バター、チョコレートシロップ、ショートニング、バター、マーガリン、オレオ、グリース、ディップ、ヨーグルト、サワークリーム、化粧品、シャンプー、ローション、毛髪ゲルおよび練り歯磨きからなる群から選択される少なくとも１種のメンバーを含む、項目２３に記載の方法。
（項目２５）
前記液体が、食品添加物（例えばオレイン酸エチル）、脂肪酸、タンパク質および植物油（例えば、オリーブオイル、ライトオリーブオイル、トウモロコシ油、ダイズ油、ナタネ油、アマニ油（ｌｉｎｓｅｅｄ  ｏｉｌ）、グレープシード油、アマニ油（ｆｌａｘｓｅｅｄ  ｏｉｌ）、カノーラ油、ラッカセイ油、ベニバナ油、ヒマワリ油）からなる群から選択される少なくとも１種のメンバーを含む、項目１８に記載の方法。
（項目２６）
前記基材に前記テクスチャを施すステップが：前記基材を溶媒に曝露する（例えば、溶媒誘起結晶化）ステップ；材料の混合物を押出成形またはブロー成形するステップ；機械的作用により前記基材を粗面化する（例えば、研磨剤によるタンブリング）ステップ；噴霧コーティングステップ；ポリマースピン塗りステップ；溶液から粒子を析出させる（例えば、１層ずつ析出させる、かつ／または液体および粒子懸濁物から液体を蒸発除去する）ステップ；フォームまたはフォーム形成材料（例えばポリウレタンフォーム）を押出成形またはブロー成形するステップ；溶液からポリマーを析出させるステップ；冷却すると膨張して、しわまたはテクスチャのある表面を残す材料を押出成形またはブロー成形するステップ；引張りまたは圧縮下にある表面上に材料の層を施すステップ；ポリマーの非溶媒誘起相分離を行って、多孔質構造を得るステップ；微小接触プリンティングを行うステップ；レーザーラスタリングを行うステップ；蒸気から固体テクスチャの核生成を行う（例えば、凝結）ステップ；陽極酸化を行うステップ；フライス加工ステップ；機械加工ステップ；きざみ付けステップ；電子ビーム加工ステップ；熱または化学酸化を行うステップ；および化学蒸着を行うステップからなる群から選択される手順を含む、項目１８に記載の方法。
（項目２７）
前記基材に前記テクスチャを施すステップが、前記基材上に食用粒子の混合物を噴霧するステップを含む、項目１８に記載の方法。
（項目２８）
前記基材に前記テクスチャを施す前に、前記基材を化学修飾するステップ、および／または前記テクスチャの前記固体フィーチャーを化学修飾するステップをさらに含む、項目１８に記載の方法。
（項目２９）
前記フィーチャーのマトリックスを含浸させるステップが、前記フィーチャーのマトリックスから、過剰の液体を除去するステップを含む、項目１８に記載の方法。
（項目３０）
前記過剰の液体を除去するステップが：第２の不混和性液体を使用して、前記過剰の液体を運び去るステップ；機械的作用を用いて、前記過剰の液体を除去するステップ；多孔質材料を使用して前記過剰の液体を吸収するステップ；および重力または遠心力を使用して、前記フィーチャーのマトリックスの前記過剰の液体を排出するステップからなる群から選択される手順を含む、項目２９に記載の方法。